(57)【要約】【課題】壁面に使用する物品支持具において、掲示物等を壁面に強固に支持するに際して画鋲を使用し、かつ簡素な構造とする。また、風や振動や重量などで掲示物等が容易にはずれないが、壁面への付け替え作業は容易とする。併せて、壁への取り付けが簡単で棚サイズの変更が容易な棚を実現する。【解決手段】本発明である物品支持具は正面に対して傾斜した傾斜背面を有し、傾斜背面から正面に貫通するとともに傾斜背面に垂直な傾斜針通路を有する。画鋲を、傾斜針通路に差し込むことにより物品支持具を固定する。傾斜針通路を持つ物品支持具に棚板を嵌めることのできる溝部を設けることで、一対の物品支持具により棚を構成することができる。【選択図】図３２
2011104845.tif 000002
【特許請求の範囲】
【請求項１】
本体に、正面に対して平行する平行背面と正面とを貫通しかつ該平行背面に対して垂直な針状体用の垂直針通路と、正面に対して傾斜部を有する傾斜背面と正面とを貫通しかつ該傾斜背面に対して垂直な針状体用の傾斜針通路のうち少なくとも２つの針通路を有し、かつ前記針通路の少なくとも１つが傾斜針通路であることを特徴とする物品支持具。
【請求項２】
請求項１に記載の物品支持具であって、画鋲押圧部の当接する傾斜背面および／または平行背面に画鋲押圧部が嵌まるように画鋲枠を形成することを特徴とする物品支持具。
【請求項３】
請求項１または２に記載の物品支持具であって、長軸の長さが少なくとも７ｃｍ以上ある棒状体で構成されることを特徴とする物品支持具。
【請求項４】
請求項１または請求項２に記載の物品支持具であって、該物品支持具の上方および／または下方に板状体を有し、板状体で掲示物を係止することを特徴とする物品支持具。
【請求項５】
請求項１または請求項２に記載の物品支持具であって、該物品支持具の下部に正面から背面に延びる支持部を有し、支持部の少なくとも１つの側面に棚板を嵌めることができるよう正面から背面の間に少なくとも１つの溝部が設けられていることを特徴とする物品支持具。
【請求項６】
請求項１または請求項２または請求項５に記載の物品支持具であって、該物品支持具の下部に正面から背面に延びる支持部を有し、支持部の少なくとも１つの側面に棒を嵌めることができる孔部が設けられていることを特徴とする物品支持具。
【発明の詳細な説明】
【技術分野】
【０００１】
本発明は、石膏ボード壁等、針の刺さる壁に対して使用するものであり、通常の画鋲と比べて物品支持する力が強く、簡素な構造にも関わらず使用用途の広い物品支持具に関するものである。
【背景技術】
【０００２】
従来より、石膏ボード壁等針の刺さる壁にさし込んだ際に抜け難く耐加重性の高い画鋲や画鋲形状の支持具は多数見受けられる。針が抜け難い画鋲や画鋲形状の支持具の共通的な特徴は、一つの台座から２本以上の針が壁面にさし込まれることである。
【０００３】
斜めに貫通した３つの穴が設けられている画鋲台座の各穴へ３本の針を挿入して壁にさし込むタイプの石膏ボード用画鋲がある（例えば非特許文献１参照）。また、斜めに貫通した複数の穴が設けられている台座の各穴に針を挿入して壁にさし込んで台座を固定した後、台座に嵌る支持具を取り付けて、重量物を吊下げられる石膏ボード用物品固定具がある（例えば非特許文献２参照）。また、吊下げるフックを、斜めに貫通した複数の穴が設けられている台座にて壁と挟み、該台座の穴に針を挿入して壁にさし込んで台座とフックを固定する物品支持具がある（例えば非特許文献３参照）。
【先行技術文献】
【非特許文献】
【０００４】
【非特許文献１】実登第３００２２５１号
【非特許文献２】実開昭６２−７８１８１
【非特許文献３】実開昭６３−１０９７９
【発明の概要】
【発明が解決しようとする課題】
【０００５】
画鋲にはいくつかの機能があるが、主たる機能は、壁面に掲示物や飾り物や吊下げ用の紐等（以下、掲示物等と称する）をあてがい、画鋲の針で掲示物等を突き刺し、掲示物等を壁面に支持する機能である。画鋲が掲示行為に対して一般的に利用される主な理由は、画鋲の押圧部を片手で持ち、金槌などの道具を用いることなく危険物である針を片手で壁面に差込むことができるからである。
【０００６】
一方、画鋲は重量のある掲示物等を支持したり、画鋲の抜き差しを繰り返すと画鋲の針が刺さった壁面の針穴が広がり、画鋲が容易に抜けやすい状態となり、弱い風や振動でも画鋲が抜けてしまうという欠点がある。
【０００７】
過去の種々の物品支持具がでているが、物品支持具を止めるための針を差し込む作業について、金槌などの道具を使うものが一般的である。本発明が解決しようとする課題の１つは、金槌などの道具を用いることなく、簡素な構造で掲示物等への保持力を強くまた針が抜けにくくすることである。
【０００８】
掲示物等が支持されるのは、画鋲の押圧部前面と壁面に挟まれる作用と画鋲の針に吊り下げられる作用による。画鋲の押圧部前面と壁面に挟まれる作用が弱まれば、掲示物が針で吊り下げられる状態となるが、掲示物が紙の場合、針穴のあいた部分が広がって破れてしまうという問題点もある。特に地図など大判の掲示物の場合は、地図の周縁にたくさんの画鋲を差し込まないと風などで揺れて画鋲が抜けたり、針を差し込んだ部分が破れてしまうといった問題がある。本発明の課題の１つは、たくさんの針を差し込まなくても紙製の掲示物を、破れにくい状態で支持することである。
【０００９】
また、賞状などの貴重な書状を壁面に掲示する際は、額に入れて掲示するのが一般的である。重要な書状には額に入れて掲示することが望ましいと思われるが、額に入れるほどでもないが本体に穴を開けたくない書状の場合、画鋲を用いて簡単に掲示することができないという問題がある。本発明の課題の１つは、書状を支持する際に画鋲を用いつつ、書状に穴を開けないということである。
【００１０】
おもちゃやフィギュアや置物などの小物・軽量物を壁面に飾りたい場合、棚箱に金槌等で釘を打ち込んで固定することが主流である。このことは、小物を飾るに際して箱状体をいう大きな製品を用意しないといけないという問題と、金槌等で打ち付けなくてはならないという問題とがある。本発明の課題の１つは、小物や軽量物を飾るに際して箱状体を形成しないで、壁を背板として少ない部材で棚部を構成することであり、また金槌を使わず画鋲で固定することである。
【００１１】
本発明は、このような課題に着目して案出されたものであり、その目的は画鋲の機能を高め、かつ広げるものであり、針をさし込んだら抜けにくいという機能を有しつつ、掲示の安定性、掲示物等の広がりを低コストで提供することにある。
【課題を解決するための手段】
【００１２】
本発明である物品支持具は、壁面と接する前面に対して傾斜する背面を有し、該背面に対し垂直な針通路が前面にかけて貫通している。針通路は２つ以上あり、その針通路に画鋲の針を通すことで、物品支持具は壁面に固定される。２つ以上の画鋲により固定されているために物品支持具は回転することなくしっかりと固定される。画鋲を上から下に向けて斜めに差し込むように物品支持具を位置した場合、たとえ壁の針穴が広がって緩んだ場合でも画鋲の抜け落ちが起こりにくく、よって物品支持具に支持されている掲示物等は壁面から落ちにくい。
【００１３】
更に、壁面と接する前面に対して異なる傾斜角を有する２つ以上の背面を有しており、該背面に対し垂直な針通路が前面にかけて貫通している物品支持具では、画鋲の針が異なる２方向から壁面に差し込まれた状態で物品支持具が壁面に固定される。異なる２方向以上の針による固定のため、物品支持具の固定はより強固になる。
【００１４】
また、物品支持具背面において、画鋲押圧部前面が嵌る背面を有することで、画鋲が物品支持具から抜け落ちることを低下させ、より安定的に物品支持具を壁面に固定できる。
【００１５】
これらの物品支持具の上方または下方に幅広の支持板を有することで、掲示物等に穴を開けることなく支持することができる。
【００１６】
これらの物品支持具は、設けられた針通路に画鋲を突き刺すだけなので簡単な作業で壁面に固定することができる。これら物品支持具の下方に支持部を設け、その支持部に水平な溝を設けることにより、一対の物品支持具で棚板を吊り下げることができる。
【発明の効果】
【００１７】
本発明は掲示物等を画鋲を用いて壁面に支持するに際して、画鋲単体を用いる場合よりも強く安定的に支持することができる。
また、物品支持具を固定する針状体として画鋲を使用することができることができるため、オペレーションが容易であり、物品支持する壁面位置の変更も容易である。物品支持具に使用する針状体は紛失しやすいが、画鋲は通常、家庭やオフィスで常備しているため、針状体が紛失した場合でも常備品としての画鋲で固定することができる。
また、本体に針が設けられている従来の物品支持具は移送・販売・保管する際のパッケージについて針が人体や他製品を傷つけないよう、針部分を囲ったり底上げするなどの処置を施さなくてはならならず、パッケージが嵩張るといった問題点があるが、本発明は針と本体が独立しているために、パッケージが簡素化できるという利点がある。
更に、壁への保持機能が高まった物品支持具に溝や穴を設けて、棚板や棒などを支持することにより、様々な小物のディスプレイ可能となる。
【図面の簡単な説明】
【００１８】
【図１】画鋲の側面図および斜視図
【図２】別の画鋲の側面図および斜視図
【図３】本発明の第１の実施形態の斜視図
【図４】本発明の第１の実施形態の正面図
【図５】本発明の第１の実施形態の背面図
【図６】本発明の第１の実施形態の使用状態を表す右側面図
【図７】本発明の第１の実施形態の使用状態を表す斜視図
【図８】本発明の第２の実施形態の斜視図
【図９】本発明の第３の実施形態の斜視図
【図１０】本発明の第３の実施形態の使用状態を表す右側面図
【図１１】本発明の第４の実施形態の斜視図
【図１２】本発明の第４の実施形態の使用状態を表す右側面図
【図１３】本発明の第５の実施形態の斜視図
【図１４】本発明の第５の実施形態の使用状態を表す右側面図
【図１５】本発明の第６の実施形態の斜視図
【図１６】本発明の第７の実施形態の斜視図
【図１７】本発明の第８の実施形態の斜視図
【図１８】本発明の第７の実施形態の使用状態を表す斜視図
【図１９】本発明の第９の実施形態の斜視図
【図２０】本発明の第１０の実施形態の右側面図
【図２１】本発明の第１０の実施形態の背面図
【図２２】本発明の第１０の実施形態の使用状態を表す斜視図
【図２３】本発明の第１１の実施形態の右側面図
【図２４】本発明の第１１の実施形態の背面図
【図２５】本発明の第１１の実施形態の斜視図
【図２６】本発明の第１２の実施形態の斜視図
【図２７】本発明の第１１の実施形態の使用状態を表す斜視図
【図２８】本発明の第１１の実施形態の使用状態を表す斜視図
【図２９】本発明の第１３の実施形態の背面図
【図３０】本発明の第１３の実施形態の右側面図
【図３１】本発明の第１３の実施形態の斜視図
【図３２】本発明の第１３の実施形態の使用状態を表す斜視図
【図３３】本発明の第１３の実施形態用の棚板の右側面図
【図３４】本発明の第１３の実施形態用の棚板の斜視図
【図３５】本発明の第１３の実施形態の使用状態を表す斜視図
【図３６】本発明の第１４の実施形態の斜視図
【図３７】本発明の第１４の実施形態の右側面図
【図３８】本発明の第１４の実施形態の使用状態を表す斜視図
【発明を実施するための形態】
【００１９】
（画鋲の定義）
本件でいう画鋲とは、針と押圧部で構成されたものであり、道具を使用せず片手で壁面に突き刺すことのできるものをいう。針状体とは画鋲や釘、ピンなど先突型の形状を有して壁面を突き刺すことのできるものをいう。
図１は一般的な画鋲を表す図で（Ａ）は右側面図を、（Ｂ）は斜視図を表す。図１に表すとおり一般的な画鋲である画鋲２１は押圧部と針で構成されておりチェス形状の押圧部２３の正面から針２２が突き出ているものである。
図２も画鋲を表す図で（Ａ）は右側面図を、（Ｂ）は斜視図を表す。図２に表すとおり、画鋲２１Ｂは押圧部と針で構成されており、円柱形状の押圧部２３Ｂの正面から針２２が突き出ているタイプの画鋲である。
【００２０】
（正面の定義）
本発明である物品支持具を表現する際の正面とは、物品支持具の使用時に物品支持具が壁に接する面のことをいう。また、画鋲の正面も同じく、画鋲の使用時に押圧部が壁に接する面のことを言う。
【００２１】
（本発明の主たる特徴）
本発明である物品支持具は、一般的に家庭やオフィスで使用されまた常備されている画鋲を物品支持具の固定用具として用いる。物品支持具に設けられている針通路に画鋲の針を貫通させて壁に差し込むことで物品支持具を固定するものである。
本発明である物品支持具は複数のバリエーションがある。まずは画鋲着脱に関わる針通路の構造の違いによるバリエーションがある。次に物品支持具の使途の違いに伴う付加形状の違いによるバリエーションである。
【００２２】
（第１の実施形状：傾斜背面）
図３で表すとおり本発明である物品支持具１は、本体を構成する背面として背面が正面に対して傾斜した面である傾斜背面２を有している。本体には傾斜背面２と正面とを貫通しかつ傾斜背面２に対して略垂直となる傾斜針通路４が２つ設けられている。（図４〜図６追加参照）。
図６に表すとおり、画鋲２１の針２２を物品支持具１の傾斜針通路４に貫通させ押圧部２３の正面が傾斜背面２に接するまで壁１０に差込む。物品支持具１は２つの傾斜針通路４を貫通して壁に差し込まれた２本の針により回転することなくしっかりと固定される。掲示物等は壁１０と物品支持具１の間に挟んで支持する。
図６に表すとおり、画鋲２１の針２２が傾斜針通路４を通って斜め上から斜め下に向かって差し込まれる場合は、壁１０に対して針２２が鋭角に進入しているために保持力が高く、石膏ボードの針穴が広がって針２２が緩んだ場合でも画鋲２１は傾斜しているために落下しにくく、従って物品支持具１は壁から落ちにくい。すなわち安定性が高い。
図７は使用例の一つであり、画鋲２１に固定された物品支持具１によって掲示物１８が紐１７を介して吊り下げられている。物品支持具１を使用するほうが、２個の画鋲２１で支持するよりも安定性が高い。
本体の傾斜針通路４は３つ以上あっても良い。使用する画鋲の数が多いほど物品支持具１が壁面に固定される強度は高まる。
尚、以降を含め本説明でいう壁１０とは主に石膏ボード材質のものをいい、その他薄い木質合板など画鋲２１の針２２を突き刺すことのできるものをいう。
【００２３】
（第２の実施形状：角度の異なる傾斜背面）
図８に示すとおり、物品支持具１Ｂは本体を構成する背面として背面が正面に対して傾斜した面である傾斜背面２を正面に対して別角度で２つ有している。本体には、傾斜背面２と正面とを貫通しかつ傾斜背面２に対して略垂直となる傾斜針通路４が２つ設けられている。傾斜背面２および傾斜針通路４は３つ以上あってもよい。
物品支持具１と物品支持具１Ｂの主な違いは、傾斜背面２の角度が１種類か複数種類かの違いである。画鋲２１の針２２が傾斜針通路４を貫通して壁１０に差し込まれた場合、本体を貫通する針２２が２方向以上あるので、物品支持具１Ｂを壁からはずそうと背面方向に引っ張っても、壁１０内部で針方向が交差した関係になるためにはずれにくい。
すなわち、物品支持具に設けられた複数の針通路が異なる方向をもって設けられた場合、物品支持具に多方向からの負荷がかかった場合でも壁からはずれ落ちにくくなる。
【００２４】
（第３の実施形状：曲背面）
図９に示すとおり、物品支持具１Ｃは本体を構成する背面として背面方向に膨らんだ曲面構造となる曲背面７であることを特徴としている。本体には、曲背面７と正面とを貫通しかつ曲背面７に対して略垂直となる傾斜針通路４が２つ設けられている（図１０追加参照）。尚、この曲背面７は傾斜針通路４の接線と考えると傾斜背面の一形式ととらえることができる。
押圧部２３がチェス形状をしている画鋲２１を画鋲として使用した場合は押圧部２３の正面の多くが曲背面７と離れてはみ出しているためユーザーによっては意匠的に好まれない場合がある（図１０参照）。一方、押圧部が球状をした画鋲（マップピン）の場合、曲背面７から押圧部がはみ出ているように見えないために意匠的な相性は良い。本体の傾斜針通路４は３つ以上あっても良い。
【００２５】
（第４の実施形態：平行背面）
図１１に示すとおり、物品支持具１Ｄは本体を構成する背面として背面が正面に対して傾斜した面である傾斜背面２と背面が正面に対して平行な面である平行背面６を有している。また本体には、傾斜背面２と正面とを貫通しかつ傾斜背面２に対して略垂直となる傾斜針通路４と、平行背面６と正面とを貫通しかつ平行背面６に対して略垂直となる垂直針通路５がそれぞれ１つ設けられている（図１２追加参照）。
図１２に表すとおり画鋲２１の針２２が傾斜針通路４および垂直針通路５を経由して壁１０に差し込まれた場合、壁１０に差し込んだ針２２が２方向以上あるので、物品支持具１Ｄを壁からはずそうと背面方向に引っ張っても、壁１０内部で針方向が交差した関係になるためにはずれにくい。
垂直針通路５は壁面に対して垂直となるため、ユーザーは画鋲２１の針２２を壁に対して垂直方向に差し込めば良い。ユーザーの作業性から言えば、針を壁に対して垂直に差し込む方が斜めに差し込むより作業が容易である。従って、作業面からいえば物品支持具に垂直針通路５があることはユーザーにとって優しい。垂直針通路５の意義は、傾斜針通路４と組み合わせることで針２２の方向を複数にすることと、壁への差込みの容易性である。
本体の傾斜針通路４は２つ以上あっても良く、垂直針通路５も同様に２つ以上あってもよい。
【００２６】
（第５の実施形態：画鋲枠）
図１３に示すとおり物品支持具１Ｅは物品支持具１と同様に傾斜背面２と２本の傾斜針通路４を有している。更に、本体背面側には針２２を傾斜針通路４に差し込んだ際に画鋲２１が動きにくいように画鋲枠２４が設けられている。針２２を壁１０に差し込んだ際に画鋲枠２４は押圧部２３の正面側壁周縁が接するように構成された枠である。この画鋲枠２４により、画鋲２１の正面と傾斜背面２の両面が面ずれ（面すべり）方向に動いて針２２が壁１０から緩むことを防止するとともに、物品支持具１Ｅから画鋲２２が抜けにくくなる（物品支持具と針が一体化する）という効果がある。画鋲枠２４の高さを高くすると、物品支持具と針の一体化が顕著である。
画鋲枠２４は傾斜針通路４に対応して設けるのみでなく、垂直針通路５に対して設けることもでき、画鋲枠２４の効果は垂直針通路５に対応した際でも同様である。
傾斜針通路４に画鋲２１を差し込む場合、針２２が本体内に残る部分が大きければ壁１０に刺さる部分が短かくなる。できるだけ壁１０に刺さる針部分を大きくしようとすると、本体の厚みを薄くしなくてはならないが本体強度が低くなる。図１４に表すとおり画鋲枠２４を設けると、枠部分で本体強度を高めることができるため、本体正面から傾斜背面２までの厚みをギリギリまで小さくすることができ、壁１０に刺さる針の部分を長くすることができる。
本体の傾斜針通路４は３つ以上あっても良い。
【００２７】
（第６の実施形状：画鋲枠２）
図１５に表す物品支持具１Ｆは、前記物品支持具１Ｅと同じく画鋲枠をもつものであるが、針２２を壁１０に差し込んだ際に画鋲枠２４Ｂは押圧部２３の正面側壁周縁の一部が接するように構成されている。画鋲枠は押圧部２３周縁と接する部分が一部であっても画鋲２１の正面と傾斜背面２の両面が面ずれ（面すべり）方向に動いて針２２が壁１０から緩むことを防止するとともに、物品支持具１Ｆから画鋲２２が抜けにくくなるという効果がある。
画鋲枠を物品支持具に設ける場合に、本体を柔軟性や弾力性を有する素材（例えば塩化ビニル材やゴム材）を用い画鋲枠部分を押圧部２３の前面よりわずかに小さくすると、画鋲枠が押圧部の正面側側壁を保持することができ、画鋲の面すべりによる針２２の緩みや物品支持具から画鋲が抜けることを更に防止することができる。
【００２８】
（第７・第８の実施形態：棒状体）
図１６に表す物品支持具１Ｇは長細い棒状体にて構成されている。棒状体の背面として背面が正面に対して傾斜した面である傾斜背面２を有している。画鋲の針２２が貫通する針通路として、本体には傾斜背面２と正面とを貫通しかつ傾斜背面２に対して略垂直となる傾斜針通路４が本体に２つ設けられている。傾斜針通路４は３つ以上設けても良い。
図１８で表すとおり、物品支持具１Ｇの傾斜針通路４に画鋲２１の針２２を貫通させて壁１０に差し込むことにより、掲示物１９は上辺付近の広い部分が棒状体と壁面に挟まった状態で支持される。掲示物１９の上辺付近の広い範囲が固定されるため、掲示物１９の辺中央部がたるんでしまって掲示状態が緩慢になるということがない。
地図などの大型の掲示物は地図周辺にたくさんの画鋲を使用しても、自重や風などで画鋲と画鋲の間の辺部分がたるんで掲示状態が緩慢になったり、地図にあけられた針穴周辺の破れが発生しやすい。物品支持具１Ｇを地図などの大型の掲示物に使用した場合、辺部分のたるみが発生せず、針穴部周辺の破れも発生しないため特に有効である。
尚、棒状態の背面に設けられる画鋲着脱部の構造に関しては、前記［００２２］乃至［００２７］のいずれかに記載の構造であれば良い。例えば、図１７に表す物品支持具１Ｈは［００２６］と同じ画鋲着脱部の構造であり、針２２を壁１０に差し込んだ際に画鋲枠２４は押圧部２３の正面側壁周縁が接するように構成された枠を有している。
物品支持具１Ｇの長さについてであるが、紙状掲示物の１辺の長さを有すると最も有効である。一方、紙状掲示物の辺の１／３以上の長さがあれば一定の効果が認められる。Ａ４サイズのＯＡ用紙でいえば７ｃｍ以上である。対象とする掲示物によって長さは異なるが、紙類の流通量から考えるとＡ４サイズを規準にしたものが使い勝手が良いことが想像できる。地図などの大型掲示物の場合は、一辺が長いので両端を含み複数の物品支持具１Ｇを用いると良い。
【００２９】
（第９の実施形態：吊り下げ具）
図１９は物品を吊り下げるためのフックを備えた物品支持具１Ｓを表す。フックを備えた物品支持具において釘を本体に対して斜めに打ち込んだり、斜めの針を有するものは存在するが、壁に差し込む針状体として画鋲を用いるものは存在しない。物品支持具１Ｓは画鋲着脱部の構造として傾斜背面２と傾斜針通路４および平行背面６と垂直針通路５を有し、それぞれの針通路の周縁には画鋲枠２４を設けている。本体下部には物品を吊り下げられるようにフック２５が設けられている。前記［００２５］で記載のとおり、本体を貫通する針２２が２方向以上あるので、壁からはずそうと背面方向に引っ張っても、壁１０内部で針方向が交差した関係になるためにはずれにくい。
フックを有する物品支持具１Ｓの画鋲着脱部の構造として前記［００２２］乃至［００２７］いずれかに記載の構造であれば良い。
【００３０】
（第１０の実施形態：板状体）
図２０に表すとおり物品支持具１Ｊは、本体を構成する背面として背面が正面に対して傾斜した面である傾斜背面２を有している。本体には、傾斜背面２と正面とを貫通しかつ傾斜背面２に対して略垂直となる傾斜針通路４が２つ設けられている（図２１追加参照）。正面側の傾斜針通路４の上側および下側に幅広の板状部３１を有する。板上部３１は正面側の傾斜針通路４の上側および下側のどちらか一方でも良い。
図２２に表すとおり、掲示物１９が例えば賞状のように穴を開けずに掲示したい書状の場合、画鋲２１で固定された物品支持具１Ｊの板状部３１が掲示物１９の四隅を押さえることにより、物品支持具１Ｊが掲示物１９を壁面にしっかりと支持する。
板状部３１を有する物品支持具１Jの画鋲着脱部の構造として前記［００２２］乃至［００２７］いずれかに記載の構造であれば良い。
【００３１】
（第１１・第１２の実施形態：一枚棚）
図２５に表す物品支持具１Ｌは棚板を支持することのできる物品支持具であり、本体を構成する背面として背面が正面に対して傾斜した面である傾斜背面２と背面が正面に対して平行な面である平行背面６を有している。本体には、傾斜背面２と正面とを貫通しかつ傾斜背面２に対して略垂直となる傾斜針通路４と、平行背面６と正面とを貫通しかつ平行背面６に対して略垂直となる垂直針通路５がそれぞれ２つ設けられている。物品支持具１Ｌの下方には前後方向（正面−背面方向）に伸びる支持部３２があり、支持部３２の左右には前後方向に伸びる溝部３３が設けられている（図２３・図２４追加参照）。
図２７に示すとおり、画鋲２１の針を針通路に貫通させて壁１０に差し込んで壁の同じ高さに固定した一対の物品支持具１Ｌの向かい合う溝部３３に、棚板２７の両端を差込み物品支持具１Ｌにて支持する。
通常の一枚棚は、側板と棚板と一体となっている。本発明である物品支持具１Ｌを用いた棚の場合は、側板と棚板が独立しているために製品化した時にコンパクトな梱包が可能である。製造側にとっては組立ての工程が省け、かつ、在庫の省スペース化に寄与する。ユーザーにとっては、組み立てる際も釘と金槌、ドライバーやネジなどが不要で画鋲で組み立てが可能なのでユーザーの手を煩わせない。また、ユーザーが棚に載せたい物品によって、物品支持具１Ｌを変更することなく棚板の長さを変えることのみで棚スペースの変更ができる。また、図２８に示すとおり棚板と物品支持具１Ｌと棚板２７を増やして横に棚スペースを増やしていくことも可能である。
尚、物品支持具１Ｌの支持部３２に設ける溝部３３は、支持部３２の片側（右側面あるいは左側面）だけにしても良い。但しこの場合棚板を支持する一対の物品支持具１Ｌは、右側面に溝部３３を有するものと左側面に溝部３３を有するものの２種類が必要となる。
また、棚板２７を取り付けることのできる溝部３３を有する物品支持具の背面に設けられる画鋲着脱部の構造に関しては、前記［００２２］乃至［００２７］いずれかに記載の構造であれば良い。例えば図２６に表す物品支持具１Ｎは傾斜針通路５と垂直針通路４をそれぞれ２つ有し、垂直針通路４に対応した画鋲枠２４を有している。
【００３２】
（第１３の実施形態：棚箱）
図３１に表す物品支持具１Ｔは複数の棚板を支持することのできる物品支持具であり、本体を構成する背面として複数の傾斜背面２と複数の傾斜針通路４を有している。物品支持具１Ｔには前後方向（正面−背面方向）に伸びる支持部３２Ｂがあり、支持部３２の左右には前後方向に伸びる溝部３３が複数設けられている（図２９・図３０追加参照）。
図３２に示すとおり、画鋲２１の針を針通路に貫通させて壁１０に差し込んで同じ高さに固定した一対の物品支持具１Ｔの向かい合う溝部３３に複数の棚板２７の両端を差込み、複数の棚板２７を物品支持具３１にて支持して棚箱を形成する。
一般的な棚箱は、側板と天板と底板と棚板と背板とが一体となった箱状をしている。本発明である物品支持具１Ｔを用いた棚箱の場合は、背板が不要で、天板も底板も棚板で共用でき、かつそれぞれの部材が独立しているために製品化した時にコンパクトな梱包が可能である。製造側にとっては組立ての工程が省け、かつ、箱型の形成が不要なためにパーツ単位で在庫すれば良く棚箱という大型在庫を抱える必要がない。ユーザーにとっては、組み立てる際も釘と金槌、ドライバーやネジなどが不要で画鋲で組み立てが可能なのでユーザーの手を煩わせない。また、ユーザーが棚に載せたい物品によって、物品支持具１Ｔを変更することなく棚板の長さを変えることのみで棚スペースの変更ができる。また、物品支持具１Ｌと同様に横に棚スペースを増やしていくことも可能である。
物品支持具１Ｔの支持部３２Ｂに設ける溝部３３は、支持部３２Ｂの片側（右側面あるいは左側面）だけにしても良い。但し、この場合棚板を支持する一対の物品支持具１Ｔは、右側面に溝部３３を有するものと左側面に溝部３３を有するものの２種類が必要となる。
尚、複数の棚板２７が取付け可能な複数の溝部３３を有する物品支持具の背面に設けられる画鋲着脱部の構造に関しては、前記［００２２］乃至［００２７］いずれかに記載の構造であっても良い。
【００３３】
（前面カバー付加）
図３４に表すのは物品支持具１Ｔに用いる棚板２７Ｃである。棚板２７Ｃの一面上に、棚板の一辺と平行となる溝部２７Ｂを一辺と近い位置に設けている（図３３追加参照）。
図３５に表すのは物品支持具１Ｔを用いて構成した棚箱である。天井板と底板として、２枚の棚板２７Ｃをそれぞれの溝部２７Ｂが向かい合う状態で物品支持部１Ｔの溝部３３に差し込んで支持する。その際、溝部２７Ｂは支持部３２Ｂの端よりも手前に位置する。
透明な素材でできている前面カバー３６の上辺と下辺を向かい合う溝部２７Ｂに差し込むことにより、一対の物品支持具１Ｔと棚板によって構成された棚空間の前面を保護することができる。
【００３４】
（第１４の実施形態：ハンガー付加）
図３６に表すのは、物品支持具１Ｌの棚板支持機能に加え、ハンガー機能を付加した物品支持具１Ｑである。物品支持具１Ｑの支持部３２の左右側面に、溝部３３と孔部３４を設けている（図３７追加参照）。
図３８に表すように、一対の物品支持具１Ｑの向かい合う孔部３４に棒２８を嵌め、画鋲２１の針を針通路に貫通させて壁１０に差し込んで同じ高さに固定することで、ハンガーとなる。
【実施例１】
【００３５】
（物品支持具１の重量負荷試験）
長さ４ｃｍ、幅２ｃｍ、傾斜背面の角度３０度の物品支持具１を作成した。画鋲２１はチェス型で、押圧部２３の正面直径が１０ｍｍで針２２が１０ｍｍの市販物を使用した。
１つの物品支持具１で、石膏ボードでできた壁１０と物品支持具１の間にＡ４サイズの樹脂シート上部中央を針を貫通させつつ挟み、２本の画鋲２１の針２２を傾斜針通路４に貫通させて壁１０に差し込んで壁面に支持した。
一方、比較として２本の画鋲２１の針２２を同樹脂シートの上辺付近左右隅に差し込んで壁面に支持した。
それぞれの画鋲２１について５回抜き差しを繰り返し、画鋲２１がやや抜けやすい状態とした。
壁面に支持されたそれぞれの樹脂シートを壁面に対し４５度の角度で斜め下に牽引し、画鋲が外れる負荷を測定した。１０回牽引したところ、物品支持具１を使用した場合では平均２．３ｋｇ重の負荷まで耐えたが、画鋲２１のみを使用した場合は平均０．９ｋｇ重の負荷までしか耐えられなかった。
【実施例２】
【００３６】
（物品支持具１Ｇの重量負荷試験）
長さ２０ｃｍ、幅２ｃｍ、傾斜背面の角度３０度の物品支持具１Ｇを作成した。画鋲２１はチェス型で、押圧部２３の正面直径が１０ｍｍで針２２が１０ｍｍの市販物を使用した。
１つの物品支持具１Ｇで、石膏ボードでできた壁１０と物品支持具１の間にＡ４サイズの樹脂シートの上辺付近を針を貫通させつつ挟み、２本の画鋲２１の針２２を傾斜針通路４に貫通させて壁１０に差し込んで壁面に支持した。
一方、比較として２本の画鋲２１の針２２を同樹脂シートの上辺付近左右隅に差し込んで壁面に支持した。
それぞれの画鋲２１について５回抜き差しを繰り返し、画鋲２１がやや抜けやすい状態とした。
壁面に支持されたそれぞれの樹脂シートを壁面に対し４５度の角度で斜め下に牽引し、画鋲が外れる負荷を測定した。１０回牽引したところ、物品支持具１Ｇを使用した場合では平均２．４ｋｇ重の負荷まで耐えたが、画鋲２１のみを使用した場合は平均０．９ｋｇ重の負荷までしか耐えられなかった。
【実施例３】
【００３７】
（物品支持具１Ｇの風力負荷試験）
長さ２０ｃｍ、幅２ｃｍ、傾斜背面の角度３０度とした棒状の物品支持具である物品支持具１Ｇを作成した。画鋲２１はチェス型で、押圧部２３の正面直径が１０ｍｍで針２２が１０ｍｍの市販物を使用した。
２つの物品支持具１Ｇで、石膏ボードでできた壁１０と物品支持具１Ｇの間にＡ４サイズのＯＡ用紙の左右上隅を針を貫通させつつ挟み、２本の画鋲２１の針２２を傾斜針通路４に貫通させて壁１０に差し込んだ。
一方、比較として２本の画鋲２１の針２２を同ＯＡ用紙の上辺付近左右隅に差し込んで壁面に支持した。
それぞれの画鋲２１について２０回抜き差しを繰り返し、画鋲２１が抜けやすい状態とした。
これら２種類のＯＡ用紙から横方向に１メートル離れた位置に扇風機を置き、それぞれのＯＡ用紙に対して強風を送り込みＯＡ用紙を風で揺らし、画鋲が外れるまでの時間を１０回計測した。
画鋲のみでＯＡ用紙を支持した場合、平均１４秒で画鋲が外れた。一方、物品支持具１Ｇを使用した場合１分以上の風に耐えた。
【実施例４】
【００３８】
（物品支持具１Ｌの重量負荷試験）
棚板を支持できる物品支持具１Ｌにおいて、高さ１０ｃｍ、支持部の長さ８ｃｍのＬ字型であり、支持部に幅４ｍｍ・深さ５ｍｍの溝部３３を設けた。棚板２７として縦８０ｍｍ、横２５０ｍｍ、厚み３ｍｍのアクリル板を用意した。画鋲２１はチェス型で、押圧部２３の正面直径が１０ｍｍで針２２が１０ｍｍの市販物を使用した。
２つの物品支持具１Ｌの溝部３３を向かい合わせ、画鋲２１を用いて壁１０に物品支持具１Ｌを固定した。２つの物品支持具１Ｌの溝部３３に前記アクリル板の棚板２７を支持した。
棚板２７の上に１ｋｇの錘を載せたところ、物品支持具１Ｌの固定状態に異常は無かった。
また、棚板２７の上に１ｋｇの錘を１００回載せ降ろししたところ、物品支持具１Ｌの片側にわずかな緩み（１ｍｍ未満の緩み）があった程度であった。
画鋲２１として針２２が２０ｍｍの市販物を使用した場合、棚板２７の上に１ｋｇの錘を１００回載せ降ろししても固定状態に異常はなかった。
【産業上の利用可能性】
【００３９】
本発明は、一般的な画鋲のみを用いるより掲示物等の保持力が高く、抜けの発生しにくい物品支持具である。家庭やオフィスで常備されている画鋲を使用して物品を壁面に支持することができるため金槌などを用いる必要がなく、ユーザーにとって安全で簡単である。構造が簡素であり、合成樹脂・ゴム・木材など様々な材料で製造することができ、形状も広がりがあり低コストで製造できることから製造・販売面で業者として扱いやすい物品である。
【００４０】
本発明である物品支持具を使用した棚においては、壁を背板として自由な位置に組み立てるという今までに無い新しい方式となり、部材の削減や梱包の簡素化といった低コストでの提供が可能となる。
また、物品支持具は同一のままに棚板のサイズを変えるだけで棚の大きさを変更することができる。更に、左右に物品支持具を継ぎ足して、より大きな棚スペースを造ることもできる。
一種類の物品支持具があれば、棚板のサイズを変えるだけでさまざまなサイズの棚スペースを構築することができるため、製造者にとってもユーザーにとっても扱いやすい。
【符号の説明】
【００４１】
１      物品支持具
１Ｂ    物品支持具
１Ｃ    物品支持具
１Ｄ    物品支持具
１Ｅ    物品支持具
１Ｆ    物品支持具
１G    物品支持具
１Ｈ    物品支持具
１Ｊ    物品支持具
１Ｌ    物品支持具
１Ｎ    物品支持具
１Ｑ    物品支持具
１Ｔ    物品支持具
１Ｓ    物品支持具
２      傾斜背面
３      正面
４      傾斜針通路
５      垂直針通路
６      平行背面
７      曲背面
１０    壁
１７    紐
１８    掲示物
１９    掲示物
２１    画鋲
２１Ｂ  画鋲
２２    針
２３    押圧部
２３Ｂ  押圧部
２４    画鋲枠
２４Ｂ  画鋲枠
２５    フック
２７    棚板
２７Ｂ  溝部
２７Ｃ  棚板
２８    棒
３１    板状部
３２    支持部
３２Ｂ  支持部
３３    溝部
３４    孔部
３６    前面カバー
【図１】
2011104845.tif 000003
【図２】
2011104845.tif 000004
【図３】
2011104845.tif 000005
【図４】
2011104845.tif 000006
【図５】
2011104845.tif 000007
【図６】
2011104845.tif 000008
【図７】
2011104845.tif 000009
【図８】
2011104845.tif 000010
【図９】
2011104845.tif 000011
【図１０】
2011104845.tif 000012
【図１１】
2011104845.tif 000013
【図１２】
2011104845.tif 000014
【図１３】
2011104845.tif 000015
【図１４】
2011104845.tif 000016
【図１５】
2011104845.tif 000017
【図１６】
2011104845.tif 000018
【図１７】
2011104845.tif 000019
【図１８】
2011104845.tif 000020
【図１９】
2011104845.tif 000021
【図２０】
2011104845.tif 000022
【図２１】
2011104845.tif 000023
【図２２】
2011104845.tif 000024
【図２３】
2011104845.tif 000025
【図２４】
2011104845.tif 000026
【図２５】
2011104845.tif 000027
【図２６】
2011104845.tif 000028
【図２７】
2011104845.tif 000029
【図２８】
2011104845.tif 000030
【図２９】
2011104845.tif 000031
【図３０】
2011104845.tif 000032
【図３１】
2011104845.tif 000033
【図３２】
2011104845.tif 000034
【図３３】
2011104845.tif 000035
【図３４】
2011104845.tif 000036
【図３５】
2011104845.tif 000037
【図３６】
2011104845.tif 000038
【図３７】
2011104845.tif 000039
【図３８】
2011104845.tif 000040